(57)【要約】【課題】間違った回線番号への通信を未然に防止すること。【解決手段】ファクシミリ番号の入力後、ユーザーにそのファクシミリ番号の宛先のある住所の郵便番号を入力させる。データ抽出部１０１はファクシミリ番号を構成する市外局番に基づいて市外局番−住所テーブル１５１から住所１を抽出し、郵便番号に基づいて郵便番−住所テーブル１５２から住所２を抽出する。制御部１００は住所１と住所２を比較し、住所２が住所１に含まれていたら入力されたファクシミリ番号は正しいと判断し、ファクシミリ送信を開始する。不一致である場合、データ抽出部１０１が郵便番号に基づいて大口事業所テーブル１５３から事業所名とファクシミリ番号を抽出し、表示制御部１０３がこれらを候補番号として表示部４７１に表示させる。【選択図】図２
2012165153.tif 000002
【特許請求の範囲】
【請求項１】
回線番号の一部を構成する市外局番と住所を対応付けて記憶する第１記憶手段と、
郵便番号と住所を対応付けて記憶する第２記憶手段と、
回線番号の入力を受け付ける回線番号入力受付手段と、
前記回線番号入力受付手段が回線番号の入力を受け付けた後、当該回線番号の宛先に対応する住所についての郵便番号の入力を受け付ける郵便番号入力受付手段と、
前記回線番号入力受付手段が受け付けた回線番号の市外局番に対応する住所を前記第１記憶手段から抽出する第１抽出手段と、
前記郵便番号入力受付手段が受け付けた郵便番号に対応する住所を前記第２記憶手段から抽出する第２抽出手段と、
前記第１抽出手段が抽出した住所及び前記第２抽出手段が抽出した住所が一致するか否かを判定する判定手段と、
他の通信装置と通信を行う通信手段と、
前記第１抽出手段が抽出した住所及び前記第２抽出手段が抽出した住所が一致すると前記判定手段が判定した場合、前記回線番号入力受付手段が受け付けた回線番号の通信装置との通信を開始させる制御を前記通信手段に対して行う通信制御手段と、
前記第１抽出手段が抽出した住所及び前記第２抽出手段が抽出した住所が一致しないと前記判定手段が判定した場合、通信を開始しない旨の警告メッセージを表示部に表示させる表示制御手段と、
を備えた通信装置。
【請求項２】
固有の郵便番号が付与されている事業所の事業所名と、当該固有の郵便番号と、当該事業所の回線番号とを対応付けて記憶する第３記憶手段と、
前記第１抽出手段が抽出した住所及び前記第２抽出手段が抽出した住所が一致しないと前記判定手段が判定した場合、前記郵便番号入力受付手段が受け付けた郵便番号に対応する事業所の事業所名及び当該事業所の回線番号を前記第３記憶手段から抽出する第３抽出手段と、
を更に備え、前記表示制御手段は、前記警告メッセージを表示した後に、前記第３抽出手段が抽出した事業所名及び回線番号を前記表示部に表示させるものである請求項１に記載の通信装置。
【請求項３】
前記警告メッセージが表示された後に前記第３抽出手段が抽出し、前記表示制御手段によって前記表示部に表示された回線番号へ通信を開始するか否かの選択入力を受け付ける通信許可受付手段を更に備え、前記通信制御手段は前記通信許可受付手段が通信を開始する旨の選択入力を受け付けた場合に前記第３抽出手段が抽出した回線番号の通信装置との通信を開始させる制御を前記通信手段に対して行うものである請求項２に記載の通信装置。
【請求項４】
過去に通信した回線番号を記憶する通信履歴記憶手段と、
前記第１抽出手段が抽出した住所及び前記第２抽出手段が抽出した住所が一致しないと前記判定手段が判定した場合、前記回線番号入力受付手段が受け付けた回線番号と予め設定された上位桁が一致する回線番号を前記通信履歴記憶手段から抽出する第４抽出手段と、
を更に備え、前記表示制御手段は、前記警告メッセージを表示した後に、前記第４抽出手段が抽出した回線番号を前記表示部に表示させるものである請求項１に記載の通信装置。
【請求項５】
前記警告メッセージが表示された後に前記第４抽出手段が抽出し、前記表示制御手段によって前記表示部に表示された回線番号の選択入力を受け付ける選択入力受付手段を更に備え、前記通信制御手段は前記選択入力受付手段が受け付けた回線番号の通信装置との通信を開始させる制御を前記通信手段に対して行うものである請求項４に記載の通信装置。
【発明の詳細な説明】
【技術分野】
【０００１】
本発明は、間違った回線番号への通信を未然に防止する通信装置に関するものである。
【背景技術】
【０００２】
一般的に、機密性の高い書類を即座に相手へ送りたいときは、電子メールではなくファクシミリ送信が用いられる場合が多い。そのため、特許文献１に記載されている方法のように、ファクシミリ番号の入力ミス等による誤送信を防ぐ機能の強化が求められている。
【先行技術文献】
【特許文献】
【０００３】
【特許文献１】特開２００７−０３６４７８号公報
【発明の概要】
【発明が解決しようとする課題】
【０００４】
しかし、ファクシミリ装置によく使用するファクシミリ番号を短縮登録する段階で番号自体を間違って入力してしまうと、そのまま間違ったファクシミリ番号が登録されてしまう。特許文献１に記載されている方法では、短縮番号を押した後に送信先のファクシミリ番号の再入力が必要であるが、ユーザーがファクシミリ番号を間違って記憶していると、再入力したファクシミリ番号も間違ったファクシミリ番号と一致してしまうため、誤送信を効率的に防ぐことができなかった。
【０００５】
本発明は、上記の問題を解決するためになされたもので、間違った回線番号への通信を未然に防止する機能を備えた通信装置を提供することを目的とするものである。
【課題を解決するための手段】
【０００６】
請求項１に記載の発明の通信装置は、回線番号の一部を構成する市外局番と住所を対応付けて記憶する第１記憶手段と、郵便番号と住所を対応付けて記憶する第２記憶手段と、回線番号の入力を受け付ける回線番号入力受付手段と、前記回線番号入力受付手段が回線番号の入力を受け付けた後、当該回線番号の宛先に対応する住所についての郵便番号の入力を受け付ける郵便番号入力受付手段と、前記回線番号入力受付手段が受け付けた回線番号の市外局番に対応する住所を前記第１記憶手段から抽出する第１抽出手段と、前記郵便番号入力受付手段が受け付けた郵便番号に対応する住所を前記第２記憶手段から抽出する第２抽出手段と、前記第１抽出手段が抽出した住所及び前記第２抽出手段が抽出した住所が一致するか否かを判定する判定手段と、他の通信装置と通信を行う通信手段と、前記第１抽出手段が抽出した住所及び前記第２抽出手段が抽出した住所が一致すると前記判定手段が判定した場合、前記回線番号入力受付手段が受け付けた回線番号の通信装置との通信を開始させる制御を前記通信手段に対して行う通信制御手段と、前記第１抽出手段が抽出した住所及び前記第２抽出手段が抽出した住所が一致しないと前記判定手段が判定した場合、通信を開始しない旨の警告メッセージを表示部に表示させる表示制御手段と、を備えたものである。
【０００７】
ここで、回線番号とは電話番号及びファクシミリ番号等のことを言う。入力された回線番号の一部を構成する市外局番とその回線番号の宛先のある住所の郵便番号が示す住所を比較し、住所が不一致である場合は回線番号か郵便番号のどちらかが間違って入力されたことになる。市外局番から入力したときは郵便番号より回線番号の方が桁数が多く、ユーザーが数字を間違えて入力する確率が高い。つまり、住所が不一致である場合は回線番号が誤入力された可能性が高く、間違った番号への通信を未然に防ぐことができる。
【０００８】
請求項２に記載の発明は、請求項１に記載の通信装置であって、固有の郵便番号が付与されている事業所の事業所名と、当該固有の郵便番号と、当該事業所の回線番号とを対応付けて記憶する第３記憶手段と、前記第１抽出手段が抽出した住所及び前記第２抽出手段が抽出した住所が一致しないと前記判定手段が判定した場合、前記郵便番号入力受付手段が受け付けた郵便番号に対応する事業所の事業所名及び当該事業所の回線番号を前記第３記憶手段から抽出する第３抽出手段と、を更に備え、前記表示制御手段は、前記警告メッセージを表示した後に、前記第３抽出手段が抽出した事業所名及び回線番号を前記表示部に表示させるものである。
【０００９】
固有の郵便番号が付与されている事業所の事業所名と当該固有の郵便番号と当該事業所の回線番号とを対応付けて記憶する第３記憶手段を備えることにより、判定手段が回線番号を構成する市外局番が示す住所と郵便番号が示す住所とが一致しないと判定した場合、第３抽出手段が郵便番号に基づいて第３記憶手段から事業所名と回線番号を抽出することができる。そして、表示制御手段が抽出された事業名及び回線番号を表示部に表示させることにより、ユーザーは正しい回線番号を簡単に知ることができる。
【００１０】
請求項３に記載の発明は、請求項２に記載の通信装置であって前記警告メッセージが表示された後に前記第３抽出手段が抽出し、前記表示制御手段によって前記表示部に表示された回線番号へ通信を開始するか否かの選択入力を受け付ける通信許可受付手段を更に備え、前記通信制御手段は前記通信許可受付手段が通信を開始する旨の選択入力を受け付けた場合に前記第３抽出手段が抽出した回線番号の通信装置との通信を開始させる制御を前記通信手段に対して行うものである。
【００１１】
この構成によれば、第３抽出手段が抽出し表示部に表示された回線番号が正しい回線番号であれば、ユーザーは簡単に正しい番号と通信を開始することができる。
【００１２】
請求項４に記載の発明は、請求項１に記載の通信装置であって、過去に通信した回線番号を記憶する通信履歴記憶手段と、前記第１抽出手段が抽出した住所及び前記第２抽出手段が抽出した住所が一致しないと前記判定手段が判定した場合、前記回線番号入力受付手段が受け付けた回線番号と予め設定された上位桁が一致する回線番号を前記通信履歴記憶手段から抽出する第４抽出手段と、を更に備え、前記表示制御手段は、前記警告メッセージを表示した後に、前記第４抽出手段が抽出した回線番号を前記表示部に表示させるものである。
【００１３】
過去に通信した回線番号を記憶する通信履歴記憶手段を備えることにより、判定手段が回線番号を構成する市外局番が示す住所と郵便番号が示す住所とが一致しないと判定した場合、第４抽出手段が入力された回線番号と予め設定された上位桁が一致する番号を通信履歴記憶手段から抽出することができる。そして、表示制御手段が抽出された番号を表示部に表示させることにより、ユーザーは正しい回線番号を簡単に知ることができる。
【００１４】
請求項５に記載の発明は、請求項４に記載の通信装置であって、前記警告メッセージが表示された後に前記第４抽出手段が抽出し、前記表示制御手段によって前記表示部に表示された回線番号の選択入力を受け付ける選択入力受付手段を更に備え、前記通信制御手段は前記選択入力受付手段が受け付けた回線番号の通信装置との通信を開始させる制御を前記通信手段に対して行うものである。
【００１５】
この構成によれば、第４抽出手段が抽出し、表示部に表示された回線番号に正しい回線番号があれば、ユーザーはその番号を選択することによって簡単に正しい番号と通信を開始することができる。
【発明の効果】
【００１６】
この発明によれば、回線番号の入力後、ユーザーにその回線番号の宛先のある住所の郵便番号を入力させ、判定手段が回線番号を構成する市外局番が示す住所と郵便番号が示す住所が一致するか否かを判定することにより、入力された回線番号が正しいか否かを判断することができる。つまり間違った番号で入力された回線番号を検出することができ、間違った番号への通信を未然に防ぐことができる。
【図面の簡単な説明】
【００１７】
【図１】画像形成装置の内部構成を概略的に示す側面図。
【図２】画像形成装置の電気的構成を示すブロック図。
【図３】市外局番−住所テーブルのデータ構成を示した図。
【図４】郵便番号−住所テーブルのデータ構成を示した図。
【図５】大口事業所テーブルのデータ構成を示した図。
【図６】第１の実施の形態におけるファクシミリ送信の処理の流れを示したフローチャート。
【図７】図６に続くフローチャート。
【図８】ファクシミリ番号入力画面の一例を示した図。
【図９】郵便番号入力画面の一例を示した図。
【図１０】表示画面の一例を示した図。
【図１１】表示画面の一例を示した図。
【図１２】表示画面の一例を示した図。
【図１３】第２の実施の形態におけるファクシミリ送信の処理の流れを示したフローチャート。
【図１４】図１３に続くフローチャート。
【図１５】表示画面の一例を示した図。
【発明を実施するための形態】
【００１８】
〔第１の実施の形態〕
以下、本発明に係る実施形態を図面に基づいて説明する。尚、各図において同一の符号を付した構成は、同一の構成であることを示し、その説明を省略する。図１は、本発明の一実施形態に係る通信装置の一例である画像形成装置１の内部構成を概略的に示す側面図である。尚、本実施の形態では、コピー機能、プリンター機能、及びファクシミリ機能等の機能を兼ね備えた複合機としての画像形成装置１を例に挙げて説明するが、電話機能又はファクシミリ機能のみを備えた通信装置であっても適用可能である。
【００１９】
画像形成装置１は、本体部２と、本体部２の左方に配設されたスタックトレイ３と、本体部２の上部に配設された原稿読取部５と、原稿読取部５の上方に配設された原稿給送部６とを有している。画像形成装置１のフロント部には、略長方形の操作パネル４７が設けられている。操作パネル４７は、表示部４７１と、操作キー４７２等を備えている。表示部４７１は、例えばタッチパネル機能を有する液晶ディスプレイ等によって構成されている。操作キー４７２は、例えばユーザーが印刷実行指示を入力するためのスタートキーや、印刷部数等を入力するためのテンキー等の各種キースイッチを備えている。
【００２０】
原稿読取部５は、ＣＣＤ（Charge Coupled Device）及び露光ランプ等からなるスキャナ部５１と、ガラス等の透明部材により構成された原稿台５２及び原稿読取スリット５３とを備える。スキャナ部５１は、図略の駆動部によって移動可能に構成され、原稿台５２に載置された原稿を読み取るときは、原稿台５２に対向する位置で原稿面に沿って移動され、原稿画像を走査しつつ取得した画像データを後述する制御部へ出力する。また、原稿給送部６により給送された原稿を読み取るときは、原稿読取スリット５３と対向する位置に移動され、原稿読取スリット５３を介して原稿給送部６による原稿の搬送動作と同期して原稿の画像を取得し、その画像データを制御部へ出力する。
【００２１】
原稿給送部６は、原稿を載置するための原稿載置部６１と、画像読み取り済みの原稿を排出するための原稿排出部６２と、原稿載置部６１に載置された原稿を１枚ずつ繰り出して原稿読取スリット５３に対向する位置へ搬送し、原稿排出部６２へ排出するための給紙ローラ（図略）、搬送ローラ（図略）等からなる原稿搬送機構６３とを備える。
【００２２】
本体部２は、複数の給紙カセット４６１と、給紙カセット４６１から用紙を１枚ずつ繰り出して画像形成部４０へ搬送する給紙ローラ４６２と、給紙カセット４６１から搬出されてきた用紙に画像を形成する画像形成部４０とを備える。
【００２３】
画像形成部４０は、制御部から出力された画像データに基づきレーザ光等を出力して感光体ドラム４３を露光する光学ユニット４２と、感光体ドラム４３と、感光体ドラム４３上にトナー像を形成する現像部４４と、感光体ドラム４３上のトナー像を用紙に転写する転写部４１とを備えている。トナー像が転写された用紙は定着部４５へ搬送される。
【００２４】
定着部４５は、トナー像が転写された用紙を加熱してトナー像を用紙に定着させる。定着後の用紙は、搬送ローラ４６３及び４６４等によってスタックトレイ３又は排出トレイ４８へ排出される。
【００２５】
図２は、画像形成装置１の電気的構成を示すブロック図である。制御部１００は、装置全体の動作制御を司るもので、例えば所定の演算処理を実行するＣＰＵ（Central Processing Unit）と、所定の制御プログラムが記憶されたＲＯＭ（Read Only Memory）と、データを一時的に記憶するＲＡＭ（Random Access Memory）と、これらの周辺回路等とを備えて構成されている。制御部１００には、原稿読取部５、画像メモリー１４０、画像形成部４０、操作パネル４７、ファクシミリ通信部１７０、ネットワークＩ／Ｆ部２１０、及びＨＤＤ（Hard Disk Drive）１５０が接続されている。
【００２６】
制御部１００は、ＲＯＭやＨＤＤ１５０等に記憶された制御プログラムを実行することにより、データ抽出部１０１、ファクシミリ送信制御部１０２及び表示制御部１０３として機能する。尚、点線で示した送受信履歴記憶部１０４は、第２の実施の形態において用いられる要素であるため、ここでの説明は省略する。
【００２７】
データ抽出部１０１は、ＨＤＤ１５０が記憶する各テーブルから必要なデータを抽出する。データ抽出部１０１による抽出処理については、後ほど詳しく説明する。
【００２８】
ファクシミリ送信制御部１０２は、ファクシミリ動作に必要な各部の動作制御を行うものである。具体的には、ファクシミリ送信制御部１０２は、ファクシミリ通信部１７０を用いて通信回線１７１に接続された他のファクシミリ装置との間でデータ送受信を行う。更に、ファクシミリ送信制御部１０２は、例えば原稿読取部５で読み取られた原稿画像を、ファクシミリ通信部１７０に他のファクシミリ装置へ送信させたり、ファクシミリ通信部１７０が他のファクシミリ装置から受信した画像信号に基づき、画像形成部４０に用紙に画像形成させたりする。
【００２９】
表示制御部１０３は、表示部４７１に対して文字や画像等を表示させるための制御を行う。画像メモリー１４０には、例えば原稿読取部５によって原稿から読み取られた画像データや、ネットワークに接続された端末装置からネットワークＩ／Ｆ部２１０が受信した画像データが記憶される。また、ファクシミリ機能によって、他のファクシミリ装置に送信しようとする画像データも、画像メモリー１４０に一旦記憶される。
【００３０】
ファクシミリ通信部１７０は、データ送受信相手である相手先ファクシミリとの電話回線の接続を制御するＮＣＵ（Network Control Unit）や、ファクシミリ通信用の信号を変復調する変復調回路を備えている。そしてファクシミリ通信部１７０は、公衆電話回線等の通信回線１７１に接続されている。ネットワークＩ／Ｆ部２１０は、ＬＡＮ（Local Area Network）やＷＡＮ（Wide Area Network）等のネットワークを介して、これらネットワークに接続されたパーソナルコンピューター等の端末装置との間で通信を行う通信インターフェイス回路である。
【００３１】
ＨＤＤ１５０は、市外局番−住所テーブル１５１、郵便番号−住所テーブル１５２及び大口事業所テーブル１５３を記憶する。尚、本実施の形態では磁気ディスク等で構成されるＨＤＤ１５０を用いて説明するが、例えばＥＥＰＲＯＭ（Electrically Erasable and Programmable Read Only Memory）等の半導体メモリーを用いてもよい。
【００３２】
図３は、市外局番−住所テーブル１５１のデータ構成を示した図である。電話番号やファクシミリ番号の市外局番は、市内通話料金で通話できる単位料金区域（ＭＡ）毎に割り当てられており、１つの単位料金区域に含まれる行政区域は予め定められている。つまり、市外局番と行政区域（住所）は対応していることとなり、市外局番−住所テーブル１５１は市外局番と行政区域とが対応付けられて記憶されている。
【００３３】
ここで、市外局番−住所テーブル１５１は、電話会社等が設定した単位料金区域名を記憶するのではなく、単位料金区域名に含まれる具体的な行政区域（市町村）と市外局番を対応付けて記憶する。詳しく説明すると、市外局番「０６」の場合、単位料金区域名は「大阪」となる。しかしこの単位料金区域「大阪」には「大阪市、豊中市、吹田市、守口市、門真市、・・・」等の複数の行政区域が含まれる。市外局番−住所テーブル１５１は、これら具体的な行政区域を記憶する。
【００３４】
図４は、郵便番号−住所テーブル１５２のデータ構成を示した図である。郵便番号は、都道府県や市区町村毎に割り当てられており、郵便番号−住所テーブル１５２は各郵便番号と住所とが対応付けられて記憶されている。
【００３５】
図５は、大口事業所テーブル１５３のデータ構成を示した図である。１日の郵便配達数が所定数以上の事業所については個別の郵便番号が割り当てられ、大口事業所テーブル１５３は個別の郵便番号が割り当てられた事業所とその郵便番号及びファクシミリ番号が対応付けられて記憶されている。
【００３６】
図６及び７は、本実施の形態におけるファクシミリ送信の処理の流れを示したフローチャートである。ユーザーが操作パネル４７に配置された機能キーから「ファクシミリ送信」を選択すると、表示制御部１０３は図８に示したファクシミリ番号入力画面７００を表示部４７１に表示させる（ステップＳ１０）。
【００３７】
そしてユーザーが操作キー４７２によってファクシミリ番号を入力し、ＯＫキー７０１を選択すると（ステップＳ１１；ＹＥＳ）、表示制御部１０３は図９に示した郵便番号入力画面７１０を表示部４７１に表示させる（ステップＳ１２）。この画面において、ユーザーはステップＳ１１にて入力したファクシミリ番号の宛先のある住所の郵便番号を入力する。
【００３８】
ユーザーが郵便番号を入力し、ＯＫキー７１１を選択すると（ステップＳ１３；ＹＥＳ）、データ抽出部１０１はステップＳ１１にて入力されたファクシミリ番号の市外局番に対応する住所１を市外局番−住所テーブル１５１から抽出する（ステップＳ１４）。例えばステップＳ１１においてユーザーが「０６−６７６４−ＸＸＸＸ」と入力した場合、データ抽出部１０１は市外局番「０６」に対応する住所「大阪市、豊中市、吹田市、守口市、門真市、・・・」を市外局番−住所テーブル１５１から抽出し、これらの住所を住所１とする。
【００３９】
次に、データ抽出部１０１は、ステップＳ１３にて入力された郵便番号に対応する住所２を郵便番号−住所テーブル１５２から抽出する（ステップＳ１５）。例えばステップＳ１３においてユーザーが「５４０ＸＸＸＸ」と入力した場合、データ抽出部１０１は郵便番号「５４０ＸＸＸＸ」に対応する住所として「大阪市中央区」を郵便番号−住所テーブル１５２から抽出し、この住所を住所２とする。
【００４０】
続いて、制御部１００は、データ抽出部１０１が抽出した住所１及び住所２を比較する（ステップＳ１６）。上記の例によると、データ抽出部１０１が市外局番から抽出した住所１が「大阪市、豊中市、吹田市、守口市、門真市、・・・」であり、郵便番号から抽出した住所２が「大阪市中央区」である。一般的に郵便番号に割り当てられる住所の方が細かい市区町村まで示しているため、住所１と住所２が完全に一致することは少ない。従って、細かい住所まで示す住所２が広い範囲の住所を示す住所１に含まれているならば、制御部１００は住所１と住所２は一致していると判断する。従って、上記の例の場合は住所１と住所２は一致していると制御部１００は判断する。
【００４１】
住所１と住所２が一致している場合（ステップＳ１６；ＹＥＳ）、表示制御部１０３は図１０に示した画面７２０を表示部４７１に表示させる。そしてユーザーによってＯＫキー７２１が選択されたら、ファクシミリ送信制御部１０２はステップＳ１１で入力されたファクシミリ番号へファクシミリ送信を開始し（ステップＳ２４）、送信終了後、制御部１００は処理を終了する。
【００４２】
一方、制御部１００が住所１と住所２が不一致であると判断した場合（ステップＳ１６；ＮＯ）、ファクシミリ送信制御部１０２はファクシミリ送信を一時中断し、表示制御部１０３は送信を一時中断する旨と伝えるための警告メッセージを表示部４７１に表示させる（ステップＳ１７）。図１１は、ステップＳ１７において表示部４７１に表示される画面７３０の一例である。
【００４３】
住所１と住所２が一致しない例として、ユーザーがファクシミリ番号を「０６−・・・」と入力せずに「０３−・・・」と誤入力し、郵便番号は正しく「５４０ＸＸＸＸ」と入力した場合等であり、このときデータ抽出部１０１は住所１として「東京都中央区、港区、・・・」等の東京２３区の住所を抽出するが、住所２として「大阪市中央区」を抽出する。住所１に住所２が含まれていないため、制御部１００は住所１と住所２は不一致であると判断する。
【００４４】
このように住所１と住所２が不一致である場合、郵便番号より入力桁数の多いファクシミリ番号を誤入力している可能性が高いため、ファクシミリ送信制御部１０２は誤送信を未然に防ぐためにファクシミリ送信を一時中断し、表示制御部１０３は画面７３０に警告メッセージと共に、ファクシミリ番号の再入力、候補番号の表示、ファクシミリ送信の中止をユーザーに選択させるための選択キー７３１〜７３３を表示させる。ここでユーザーがファクシミリ番号の再入力を示す選択キー７３１を選択した場合（ステップＳ１８；番号を再入力）、制御部１００はステップＳ１０へ処理を移行する。また、ユーザーが送信中止を示す選択キー７３３を選択した場合（ステップＳ１８；送信を中止）、ファクシミリ送信制御部１０２はファクシミリの送信処理を中止し（ステップＳ２３）、制御部１００は処理を終了する。
【００４５】
ユーザーが候補番号の表示を示す選択キー７３２を選択した場合（ステップＳ１８；候補番号を表示）、データ抽出部１０１は大口事業所テーブル１５３からステップＳ１３にて入力された郵便番号を検出する（ステップＳ１９）。大口事業所テーブル１５３から郵便番号が検出された場合（ステップＳ２０；ＹＥＳ）、データ抽出部１０１は大口事業所テーブル１５３から検出された郵便番号に対応付けて記憶されている事業所名とファクシミリ番号を抽出し、表示制御部１０３が抽出された事業所名とファクシミリ番号を候補番号として表示部４７１に表示させる（ステップＳ２１）。図１２はステップＳ２１において表示される画面７４０を示した図である。
【００４６】
表示されたファクシミリ番号と送信先のファクシミリ番号が正しければ、ユーザーはＯＫキー７４１を選択し、異なる場合はキャンセルキー７４２を選択する。ＯＫキー７４１が選択された場合（ステップＳ２２；ＹＥＳ）、ファクシミリ送信制御部１０２はステップＳ２１においてデータ抽出部１０１が抽出したファクシミリ番号に対してファクシミリ送信を開始し（ステップＳ２４）、送信終了後、制御部１００は処理を終了する。キャンセルキー７４２が選択された場合（ステップＳ２２；ＮＯ）、制御部１００はステップＳ１８へ処理を移行する。
【００４７】
また、大口事業所テーブル１５３から郵便番号が検出されなかった場合（ステップＳ２０；ＮＯ）、制御部１００はステップＳ１８へ処理を移行する。
【００４８】
以上、説明したように、ファクシミリ番号の入力後、ユーザーにそのファクシミリ番号の宛先のある住所の郵便番号を入力させ、ファクシミリ番号を構成する市外局番が示す住所と郵便番号が示す住所とを比較することにより、入力されたファクシミリ番号が正しいか否かを判断することができる。つまり間違った番号で入力されたファクシミリ番号を検出することができ、ファクシミリ送信の誤送信を防ぐことができる。
【００４９】
更に、ファクシミリ番号を構成する市外局番が示す住所と郵便番号が示す住所とが一致しない場合は、データ抽出部１０１が郵便番号に基づいて大口事業所テーブル１５３から事業所名とファクシミリ番号を抽出し、表示制御部１０３がこれらを候補番号として表示部４７１に表示させることにより、ユーザーはファクシミリ番号を間違えて入力したとしても正しい番号へのファクシミリ送信を簡単に行うことができる。
【００５０】
尚、本実施の形態では、回線番号としてファクシミリ番号に限定し、画像形成装置１は入力されたファクシミリ番号が正しいか否かを判別するとして説明を行ったが、同様の構成を用いて入力された電話番号も正しいか否かを判別することとしてもよい。
【００５１】
〔第２の実施の形態〕
第１の実施の形態では、データ抽出部１０１が抽出した住所１と住所２が不一致である場合、入力された郵便番号に基づいて大口事業所テーブル１５３からファクシミリ番号を抽出して、このファクシミリ番号を候補番号として表示部４７１に表示させる場合について説明した。第２の実施の形態では、候補番号を過去にファクシミリ送受信された履歴番号から抽出する場合について説明する。
【００５２】
尚、本実施の形態における画像形成装置１の内部構成は図１で示したものと同一であるため説明を省略する。また、本実施の形態における画像形成装置１の電気的構成を示すブロック図については、第１の実施の形態において図２を用いて説明した要素に加えて、点線で示した送受信履歴記憶部１０４を加えたものとなるため、異なるこの部分のみ説明する。また、ＨＤＤ１５０が記憶する各テーブルは図３、４及び５において説明したデータ構成と同一であるため同様に説明を省略する。
【００５３】
制御部１００は、ＲＯＭやＨＤＤ１５０等に記憶された制御プログラムを実行することにより、データ抽出部１０１、ファクシミリ送信制御部１０２及び表示制御部１０３として機能する他に、送受信履歴記憶部１０４として機能する。送受信履歴記憶部１０４は、過去にファクシミリ送受信されたファクシミリ番号を蓄積して記憶する。
【００５４】
図１３及び１４は、本実施の形態におけるファクシミリ送信の処理の流れを示したフローチャートである。ユーザーが操作パネル４７に配置された機能キーから「ファクシミリ送信」を選択すると、表示制御部１０３は図８に示したファクシミリ番号入力画面７００を表示部４７１に表示させる（ステップＳ１０）。
【００５５】
そしてユーザーが操作キー４７２によってファクシミリ番号を入力し、ＯＫキー７０１を選択すると（ステップＳ１１；ＹＥＳ）、表示制御部１０３は図９に示した郵便番号入力画面７１０を表示部４７１に表示させる（ステップＳ１２）。この画面において、ユーザーはステップＳ１１にて入力したファクシミリ番号の宛先のある住所の郵便番号を入力する。
【００５６】
ユーザーが郵便番号を入力し、ＯＫキー７１１を選択すると（ステップＳ１３；ＹＥＳ）、データ抽出部１０１はステップＳ１１にて入力されたファクシミリ番号の市外局番に対応する住所１を市外局番−住所テーブル１５１から抽出する（ステップＳ１４）。次に、データ抽出部１０１は、ステップＳ１３にて入力された郵便番号に対応する住所２を郵便番号−住所テーブル１５２から抽出する（ステップＳ１５）。
【００５７】
続いて、制御部１００は、データ抽出部１０１が抽出した住所１及び住所２を比較する（ステップＳ１６）。住所１と住所２が一致している場合（ステップＳ１６；ＹＥＳ）、表示制御部１０３は図１０に示した画面７２０を表示部４７１に表示させる。そしてユーザーによってＯＫキー７２１が選択されたら、ファクシミリ送信制御部１０２はステップＳ１１で入力されたファクシミリ番号へファクシミリ送信を開始し（ステップＳ２４）、送信終了後、制御部１００は処理を終了する。
【００５８】
一方、制御部１００が住所１と住所２が不一致であると判断した場合（ステップＳ１６；ＮＯ）、ファクシミリ送信制御部１０２はファクシミリ送信を一時中断し、表示制御部１０３は送信を一時中断する旨と伝えるための警告メッセージを表示部４７１に表示させる（ステップＳ１７）。図１１は、ステップＳ１７において表示部４７１に表示される画面７３０の一例である。ここで表示制御部１０３は画面７３０に警告メッセージと共に、ファクシミリ番号の再入力、候補番号の表示、ファクシミリ送信の中止をユーザーに選択させるための選択キー７３１〜７３３を表示させる。
【００５９】
ユーザーがファクシミリ番号の再入力を示す選択キー７３１を選択した場合（ステップＳ１８；番号を再入力）、制御部１００はステップＳ１０へ処理を移行する。また、ユーザーが送信中止を示す選択キー７３３を選択した場合（ステップＳ１８；送信を中止）、ファクシミリ送信制御部１０２はファクシミリの送信処理を中止し（ステップＳ２３）、制御部１００は処理を終了する。
【００６０】
ユーザーが候補番号の表示を示す選択キー７３２を選択した場合（ステップＳ１８；候補番号を表示）、データ抽出部１０１は入力されたファクシミリ番号と予め設定された上位桁の一致する番号を送受信履歴記憶部１０４から抽出する（ステップＳ１９）。予め設定された上位桁とは、市外局番を含めて例えば上位６桁〜９桁で設定されることが望ましい。上位６桁で設定されている場合、データ抽出部１０１は入力されたファクシミリ番号と市外局番及び市内局番が一致する番号を抽出し、上位９桁で設定されている場合は入力されたファクシミリ番号と市内局番、市内局番及び下４桁の加入者番号のうち上位３桁までが一致する番号を抽出する。この桁数はユーザーが任意の桁数を設定可能としてもよいし、固定された桁数が工場出荷時に設定されていてもよい。
【００６１】
送受信履歴記憶部１０４から予め設定された上位桁の一致するファクシミリ番号が抽出された場合（ステップＳ３２；ＹＥＳ）、表示制御部１０３が抽出されたファクシミリ番号を候補番号として表示部４７１に表示させる（ステップＳ３３）。図１５はステップＳ３３において表示される画面７５０を示した図である。抽出されたファクシミリ番号が複数ある場合はリスト表示され、各ファクシミリ番号にはラジオボタン７５１が対応して表示される。
【００６２】
表示されたファクシミリ番号の中に送信先となる正しいファクシミリ番号があれば、ユーザーは正しいファクシミリ番号のラジオボタン７５１を選択状態にしてＯＫキー７５２を選択する。ＯＫキー７５２が選択された場合（ステップＳ３４；ＹＥＳ）、ファクシミリ送信制御部１０２は選択されたファクシミリ番号に対してファクシミリ送信を開始し（ステップＳ２４）、送信終了後、制御部１００は処理を終了する。キャンセルキー７５３が選択された場合（ステップＳ３４；ＮＯ）、制御部１００はステップＳ１８へ処理を移行する。
【００６３】
また、送受信履歴記憶部１０４から予め設定された上位桁の一致するファクシミリ番号が検出されなかった場合（ステップＳ３２；ＮＯ）、制御部１００はステップＳ１８へ処理を移行する。
【００６４】
以上、説明したように、ファクシミリ番号の入力後、ユーザーにそのファクシミリ番号の宛先のある住所の郵便番号を入力させ、ファクシミリ番号を構成する市外局番が示す住所と郵便番号が示す住所とを比較することにより、入力されたファクシミリ番号が正しいか否かを判断することができる。つまり間違った番号で入力されたファクシミリ番号を検出することができ、ファクシミリ送信の誤送信を防ぐことができる。
【００６５】
更に、ファクシミリ番号を構成する市外局番が示す住所と郵便番号が示す住所とが一致しない場合は、データ抽出部１０１が入力されたファクシミリ番号と予め設定された上位桁が一致する番号を送受信履歴記憶部１０４から抽出し、抽出された番号を表示制御部１０３が表示部４７１に表示させてユーザーに選択させることにより、ユーザーはファクシミリ番号を間違えて入力したとしても正しい番号へのファクシミリ送信を簡単に行うことができる。
【００６６】
尚、ファクシミリ番号を構成する市外局番が示す住所と郵便番号が示す住所とが一致しない場合の候補番号として、第１の実施の形態では、入力された郵便番号に基づいて大口事業所テーブル１５３からファクシミリ番号を抽出し、第２の実施の形態では入力されたファクシミリ番号に基づいて送受信履歴記憶部１０４からファクシミリ番号を抽出することとしたが、これらの方法を組み合わせて用いてもよい。つまり、入力された郵便番号が大口事業所テーブル１５３から検出できなかった場合は、入力されたファクシミリ番号に基づいて送受信履歴記憶部１０４からファクシミリ番号を抽出するようにしてもよいし、又はその逆であってもよい。
【符号の説明】
【００６７】
１      画像形成装置（通信装置）
１００  制御部（判定手段）
１０１  データ抽出部（第１抽出手段、第２抽出手段、第３抽出手段、第４抽出手段）
１０２  ファクシミリ送信制御部（通信制御手段）
１０３  表示制御部（表示制御手段）
１０４  送受信履歴記憶部（通信履歴記憶手段）
１４０  画像メモリー
１５０  ＨＤＤ
１５１  市外局番−住所テーブル（第１記憶手段）
１５２  郵便番号−住所テーブル（第２記憶手段）
１５３  大口事業所テーブル（第３記憶手段）
１７０  ファクシミリ通信部（通信手段）
２１０  ネットワークＩ／Ｆ部
４０    画像形成部
４７    操作パネル（回線番号入力受付手段、郵便番号入力受付手段、通信許可受付手段、選択入力受付手段）
４７３  表示部
５      原稿読取部
【図１】
2012165153.tif 000003
【図２】
2012165153.tif 000004
【図３】
2012165153.tif 000005
【図４】
2012165153.tif 000006
【図５】
2012165153.tif 000007
【図６】
2012165153.tif 000008
【図７】
2012165153.tif 000009
【図８】
2012165153.tif 000010
【図９】
2012165153.tif 000011
【図１０】
2012165153.tif 000012
【図１１】
2012165153.tif 000013
【図１２】
2012165153.tif 000014
【図１３】
2012165153.tif 000015
【図１４】
2012165153.tif 000016
【図１５】
2012165153.tif 000017